(57)【特許請求の範囲】
【請求項１】
テープの通常走行モードと反転走行モードとで夫々テープに接して再生を行なう２つの磁気ヘッドと、テープカセットの巻取側ハブ及び供給側ハブに夫々係合される巻取側ハブ軸及び供給側ハブ軸と、モーターによって正逆方向に回転されるメインギヤと、テープの通常走行モードと反転走行モードとで上記巻取側ハブ軸側と供給側ハブ軸側とに選択的に移動し、上記メインギヤの回転を巻取側ハブ軸または供給側ハブ軸に伝達する第１の移動ギヤと、上記モーターによって回転され、上記第１の移動ギヤを移動させるカムギヤと、テープの早送りモードと巻戻しモードとで上記メインギヤの回転によって上記巻取側ハブ軸側と供給側ハブ軸側とに選択的に移動し、上記メインギヤの回転を巻取側ハブ軸または供給側ハブ軸に伝達する第２の移動ギヤと、テープの通常走行モードと反転走行モードにおいて上記第２の移動ギヤを上記メインギヤから外すギヤ外し機構と、を備え、上記カムギヤに、上記第２の移動ギヤを上記メインギヤから外れた状態で保持させるためのカム部が設けられ、さらに上記カムギヤに、テープの通常走行モードと反転走行モードに応じて上記２つの磁気ヘッドを夫々テープに接する方向に移動させるためのカム部が設けられてなるオートリバース機能を備えたカセットプレーヤー。
【発明の詳細な説明】
【０００１】
【産業上の利用分野】
本発明はカセットプレーヤー、特にいわゆるオートリバース機能を備えたカセットプレーヤーに関し、その駆動機構部におけるギヤ機構に係るものである。
【０００２】
【従来の技術】
一般にオートリバース機能を備えたカセットプレーヤーは、テープの通常走行（フォワードプレイ、以下ＦＷＤと記す）、反転走行（リバースプレイ、以下ＲＥＶと記す）、早送り（ファストフォワード、以下ＦＦと記す）、巻戻し（リワインド、以下ＲＥＷと記す）の各動作が行われ、プレーヤー内部に構成されるギヤ機構によって、テープカセットの巻取側ハブと供給側ハブに係合される一対のハブ軸即ち巻取側ハブ軸と供給側ハブ軸の回転が切換えられるようになっている。
【０００３】
従来のこのオートリバース機におけるハブ軸の回転切換機構の構成の一例を簡単に説明する。
先ず巻取側ハブ軸と供給側ハブ軸との間には、ＦＷＤ／ＲＥＶ切換用の第１の移動ギヤが配されており、この第１の移動ギヤはモーターによって回転されるメインギヤに常時噛合されていると共に、ＦＷＤモードでは巻取側ハブ軸側に移動してメインギヤの回転を巻取側ハブ軸に伝え、ＲＥＶモードでは供給側ハブ軸側に移動してメインギヤの回転を供給側ハブ軸側に伝え、夫々巻取側ハブ軸、供給側ハブ軸を回転させる。この第１の移動ギヤは、モーターによって回転されるカムギヤによって移動動作される。
【０００４】
さらに巻取側ハブ軸と供給側ハブ軸との間にはＦＦ／ＲＥＷ切換用の第２の移動ギヤが配されており、この第２の移動ギヤは通常時メインギヤに噛合されていると共に、ＦＦモードでは巻取側ハブ軸側に移動してメインギヤの回転を巻取側ハブ軸に伝え、ＲＥＷモードでは供給側ハブ軸側に移動してメインギヤの回転を供給側ハブ軸に伝え、夫々巻取側ハブ軸、供給側ハブ軸を回転させる。
【０００５】
この第２の移動ギヤは、メインギヤの回転力を利用して移動される構造となっており、即ちＦＦ時にはメインギヤの正方向回転によって巻取側ハブ軸側に振られ、ＲＥＷ時にはメインギヤの逆方向回転によって供給側ハブ軸側に振られ、夫々巻取側ハブ軸、供給側ハブ軸にメインギヤの回転を伝える。
【０００６】
このようなＦＷＤ／ＲＥＶ切換用の第１の移動ギヤとＦＦ／ＲＥＷ切換用の第２の移動ギヤとを有する機構においては、ＦＷＤ及びＲＥＶ時には第２の移動ギヤをメインギヤから外し、その状態で保持させておく必要があるが、従来のこの種の機構においては、上記第２の移動ギヤをメインギヤから外した状態で保持するための専用の機構を特別に設けていた。
【０００７】
【発明が解決しようとする課題】
このため従来は構成が複雑であり、部品点数が多くコスト高となると共に、特に携帯用のカセットプレーヤーにおいては機構配置スペースの点で問題があり小型薄型化の妨げとなっていた。
【０００８】
本発明は上記の問題点を解消することを目的としてなされたものである。
【０００９】
【課題を解決するための手段】
上記の目的を達成するために本発明のカセットプレーヤーは、テープの通常走行モードと反転走行モードとで夫々テープに接して再生を行なう２つの磁気ヘッドと、テープカセットの巻取側ハブ及び供給側ハブに夫々係合される巻取側ハブ軸及び供給側ハブ軸と、モーターによって正逆方向に回転されるメインギヤと、テープの通常走行モードと反転走行モードとで巻取側ハブ軸側と供給側ハブ軸側とに選択的に移動し、メインギヤの回転を巻取側ハブ軸または供給側ハブ軸に伝達する第１の移動ギヤと、モーターによって回転され、第１の移動ギヤを移動させるカムギヤと、テープの早送りモードと巻戻しモードとでメインギヤの回転によって巻取側ハブ軸側と供給側ハブ軸側とに選択的に移動し、メインギヤの回転を巻取側ハブ軸または供給側ハブ軸に伝達する第２の移動ギヤと、テープの通常走行モードと反転走行モードにおいて第２の移動ギヤをメインギヤから外すギヤ外し機構と、を備え、カムギヤに、第２の移動ギヤをメインギヤから外れた状態で保持させるためのカム部が設けられ、さらにカムギヤに、テープの通常走行モードと反転走行モードに応じて２つの磁気ヘッドを夫々テープに接する方向に移動させるためのカム部が設けられてなるものである。
【００１０】
【作用】
上記の如く構成される本発明のカセットプレーヤーは、メインギヤから外された第２の移動ギヤの保持を第１の移動ギヤを移動させるためのカムギヤによって行なうようにした構成であるため、従来に比して構成が簡素化し、さらにこのカセットプラーヤーでは、テープの通常走行モードと反転走行モードに応じて２つの磁気ヘッドを移動させる動作もカムギヤによって行なう構成としたので、構成がさらに簡素化し、その結果部品点数が少なく抑えられコストダウンに繋がると共に小型薄型化に有利となる。
【００１１】
【実施例】
以下、図面を参照しながら本発明の実施例について詳細に説明する。
【００１２】
ここに例示するカセットプレーヤーは、いわゆるオートリバース機で、図には表われていない操作ボタンの操作によってＦＷＤ，ＲＥＶ，ＦＦ，ＲＥＷの各動作が行われる。
【００１３】
図１はカセットプレーヤーの全体を示しており、図において１はプレーヤー本体、２はこのプレーヤー本体１のカセット装着部３を開閉するカセット蓋である。このカセット蓋２は、プレーヤー本体１のメカシャーシ４に枢軸５を介して起状回動可能に枢着されているカセットホルダー６に一体的に取り付けてあり、テープカセットをプレーヤー本体１のカセット装着部３に装着するときにはカセット蓋２の内面側に沿わせるようにしてテープカセットをカセットホルダー６の左右両側の保持部６ａと６ｂの間に挿入し、この状態でカセット蓋２を閉じることによりテープカセットがカセット装着部３に装着されるようになっている。尚、テープカセットはその前面開口部（テープ露出部）を前方にした状態でカセットホルダー６に挿入される。またカセットホルダー６の左右に設けられている７ａ，７ｂはテープカセットのガタ防止用の押えばねである。
【００１４】
またカセット蓋２が完全に閉じられた状態では、プレーヤー本体１側に設けられた係止爪８がカセット蓋２の係着部９に係着されることによってカセット蓋２は開かないようにロックされる。１０はこのカセット蓋２のロックを解除するための解除ボタンである。
【００１５】
カセット装着部３はメカシャーシ４の表面側に構成され、このメカシャーシ４の表面側には図２からも明らかなようにテープカセットの巻取側ハブと供給側ハブに夫々係合される一対のハブ軸、即ち巻取側ハブ軸１１と供給側ハブ軸１２が突出され、さらにテープを定速走行させるためのキャプスタン１３が突出されている。尚、本例のカセットプレーヤーは、いわゆるシングルキャプスタン方式のオートリバース機で、即ち１本のキャプスタン１３を正逆両方向に回転駆動させることによってＦＷＤとＲＥＶ動作が行なわれる機構となっている。１４はテープカセットの位置決め用の基準ピンである。
【００１６】
また１５はキャプスタン１３に圧着されるピンチローラー、１６及び１７は磁気ヘッド（本例では再生専用）で、このうちの一方の磁気ヘッド１６はＦＷＤ用、他方の磁気ヘッド１７はＲＥＶ用である。これらピンチローラー１３と磁気ヘッド１６，１７は何れもカセット蓋２と一体のカセットホルダー６に取り付けられており、即ちカセットホルダー６にテープカセットが挿入されると同時にこれらピンチローラー１３と磁気ヘッド１６，１７がテープカセットの前面開口部に挿入され、テープと対応される如くなされている。尚、このときＲＥＶ用の磁気ヘッド１７はテープカセット内に配される圧着パッドと対向されるが、ＦＷＤ用の磁気ヘッド１６に対してはテープカセット内にはこれに相当するものがないので、本例のカセットプレーヤーにおいてはメカシャーシ４の表面側のカセット装着部３に、ＦＷＤ用の磁気ヘッド１６と対向して先端部に圧着パッド１８ａを取り付けてなる圧着パッド取付柱１８が突出されている。
【００１７】
カセットホルダーにおけるピンチローラーと磁気ヘッドの取付部の構造を図１０〜図１２において更に詳しく説明すると、先ずカセットホルダー６の中央板部６ｃに支軸１９が立設され、この支軸にレバー２０が、カセットホルダーに挿入保持されるテープカセットに対し進退する方向に回動可能に軸支されており、このレバー２０の遊端部にピンチローラー１５が回転自在に枢支されている。さらに、このレバー２０（以下ピンチローラーレバーという）におけるピンチローラー枢支部の下方には突起２０ａが突出され、この突起２０ａが後述する押圧レバーで押圧されることによってピンチローラー１５の移動動作が行なわれる。
【００１８】
さらにカセットホルダー６の中央板部６ｃには支軸２１が立設され、この支軸２１に一対のレバー２２及び２３がテープカセットに対し進退する方向に回動可能に軸支されており、このレバー２２，２３に夫々磁気ヘッド１６，１７が支持されている。またこの磁気ヘッド１６，１７の両側には夫々テープガイド２４，２５を有し、その上下の突起２４ａと２４ｂ，２５ａと２５ｂの間に磁気テープを通してこれを磁気ヘッドに正確にガイドする。
【００１９】
上記レバー（以下磁気ヘッド支持レバーという）２２，２３の軸支部にはばね部材２６が嵌合装着され、このばね部材２６の一端末部を一方の磁気ヘッド支持レバー２２に突設された係止片２７に係着し、他端末部を他方の磁気ヘッド支持レバー２３に突設された係着片２８に係着してあり、これによって両側の磁気ヘッド支持レバー２２，２３に対し常に戻し方向即ちテープカセットから離れる方向の回動力を付与している。
【００２０】
また磁気ヘッド支持レバー２２，２３は夫々その後側縁が傾斜カム縁２２ａ，２３ａとなされており、この傾斜カム縁が後述する押圧ピンで押圧されることによって磁気ヘッド支持レバー２２，２３はばね部材２６の力に抗して前方へ回動され、即ち磁気ヘッド１６，１７がテープカセットの磁気テープに接する方向に突出されるようになっている。
【００２１】
一方、メカシャーシ４の裏面側には、ＦＷＤ，ＲＥＶ，ＦＦ，ＲＥＷの各モードに応じてハブ軸１１，１２とキャプスタン１３の回転駆動、ピンチローラー１５及び磁気ヘッド１６，１７の移動動作を行なうための駆動機構が構成されている（図３参照）。
【００２２】
３０は駆動源としてのモーターで、このモーター３０は正逆両方向の回転が可能であり、このモーター３０の回転駆動軸に取り付けられたプーリー３０ａとフライホイール３１との間にはベルト３２が張架されている。フライホイール３１はメカシャーシ４の表面側に突出されるキャプスタン１３と一体に回転されるもので、即ちモーター３０の回転がベルト３２を介してフライホイール３１に伝達され、キャプスタン１３が回転駆動される如くなされている。またフライホイール３１にはその下面側にギヤ３１ａが一体に形成されており、このギヤ３１ａにはメカシャーシ４の中央部に枢支されたメインギヤ３３が噛合されている。
【００２３】
３４及び３５は夫々メカシャーシ４の表面側に突出される巻取側ハブ軸１１及び供給側ハブ軸１２と一体に回転されるハブ軸駆動ギヤで、このハブ軸駆動ギヤ３４，３５は夫々伝達ギヤ３６，３７の下面側に一体に形成された小径ギヤ３６ａ，３７ａと噛合している。
【００２４】
そしてこの伝達ギヤ３６，３７とメインギヤ３３との間には第１の移動ギヤ３８及び第２の移動ギヤ６４が配されており、ＦＷＤまたはＲＥＶ時には第１の移動ギヤ３８が伝達ギヤ３６または３７に噛合してメインギヤ３３の回転を巻取側ハブ軸駆動ギヤ３４または供給側ハブ軸駆動ギヤ３５に伝え、ＦＦまたはＲＥＷ時には第２の移動ギヤ６４が伝達ギヤ３６または３７に噛合してメインギヤ３３の回転を巻取側ハブ軸駆動ギヤ３４または供給側ハブ軸駆動ギヤ３５に伝えるようになっている。
【００２５】
先ず、第１の移動ギヤ３８を伝達ギヤ３６または３７に選択的に噛合させるための移動機構について説明する。
メインギヤ３３の下にはメインギヤ３３と同軸に揺動板３９が回動自在に枢支されており、この揺動板３９上に第１の移動ギヤ３８が回転自在に枢支されている。メインギヤ３３にはその下面側に小径ギヤ３３ａが設けられ、この小径ギヤ３３ａに第１の移動ギヤ３８が常時噛合している。尚、メインギヤ３３においては図には表われていないが小径ギヤ部３３ａとの間にトルクリミッター機構（スリップ機構）が内蔵されている。
【００２６】
第１の移動ギヤ３８が枢支される揺動板３９に対応してメカシャーシ４の中央部には第１のスライド板４０が横方向にスライド可能に配されており、この第１のスライド板４０の一部には凹部４１が形成され、この凹部４１の左右両側の傾斜縁４１ａ，４１ｂに上記揺動板３９の左右に突出形成された接片部３９ａ，３９ｂが対接している。
【００２７】
そしてこの第１のスライド板４０が図において左方にスライドされると右側の傾斜縁４１ｂが揺動板３９の右側の接片部３９ｂを押し上げ、これによって揺動板３９は左方へ傾倒回動されて第１の移動ギヤ３８が巻取側ハブ軸側の伝達ギヤ３６に噛合し、またこれとは反対に第１のスライド板４０が右方にスライドされた場合には左側の傾斜縁４１ａが揺動板３９の左側の接片部３９ａを押し上げ、これによって揺動板３９は右方へ傾倒回動されて第１の移動ギヤ３８が供給側ハブ軸側の伝達ギヤ３７に噛合する如く動作される。
【００２８】
またこの第１のスライド板４０は、メカシャーシ４に立設された固定柱４２に取り付けられるばね部材４３によって常に中立位置、即ち第１の移動ギヤ３８が伝達ギヤ３６と３７の何れも噛合されないスライド位置に復帰されるように偏倚されている。即ちこのばね部材４３はねじりコイルばねによりなり、そのコイル部において固定柱４２に嵌合して取り付けられ、左右の両腕部がメカシャーシ４に立設されたストッパー突起４４を両側から挟んでいる。そしてこのばね部材４３の両腕部の先端部間に第１のスライド板４０の端部に起立形成された突片４０ａが挟まれており、第１のスライド板４０が図において左方にスライドされたときにはばね部材４３の左側の腕部が傾斜変形し、その弾性復元力によって第１のスライド板４０は中立位置に復帰され、またこれとは逆に第１のスライド板４０が右方にスライドされた場合にはばね部材４３の右側の腕部が傾斜変形し、その弾性復元力によって第１のスライド板４０が中立位置に復帰されるようになっている。
【００２９】
４５はこの第１のスライド板４０を左右にスライドさせて第１の移動ギヤ３８を選択的に移動させるカムギヤである。このカムギヤ４５は、その下面側に図７に示すようなカム部４６が形成されており、即ちこのカム部４６は、内側カム面４７と外側カム面４８とを有し、カムギヤ４５が時計方向に回転されたときには第１のスライド板４０の端部に立設されたピン４０ｂが上記外側カム面４８で連続的に押圧されることによって第１のスライド板４０は右方にスライドし、カムギヤ４５が反時計方向に回転されたときにはピン４０ｂが内側カム面４７で連続的に押圧されることによって第１のスライド板４０は左方にスライドされる。
【００３０】
また内側カム面４７と外側カム面４８には夫々中途部に傾斜段差部４７ａと４８ａが形成されており、後述するようにカムギヤ４５が初期状態から１８０°回転されてロックされた状態ではこの傾斜段差部４７ａまたは４８ａに第１のスライド板４０のピン４０ｂが対応されるようになっている。
【００３１】
続いてこのカムギヤ４５を回転駆動させるための機構を説明する。
カムギヤ４５とメインギヤ３３の間にはカムギヤ駆動用ギヤ５０が配されており、このカムギヤ駆動用ギヤ５０はメインギヤ３３の上面側に一体に形成されたギヤ３３ｂと噛合している。また、このカムギヤ駆動用ギヤ５０の下面側にはカムギヤと噛合される小径ギヤ５０ａが一体に形成され、さらにこの小径ギヤ５０ａの下方には図１４に示すようにこの小径ギヤ５０ａと同径のサブギヤ５１を有している。このサブギヤ５１はカムギヤ駆動用ギヤ５０とは独立して回転可能であるも、サブギヤ５１とカムギヤ駆動用ギヤ５０との間には図には表われていないがフリクション部材が介在されており、このためサブギヤ５１はカムギヤ駆動用ギヤ５０の回転の影響を大きく受ける構造となっている。
【００３２】
一方カムギヤ４５は図１３に示すようにその周面の歯の一部に欠歯部５２を有し、さらにこの欠歯部５２と１８０°対向する位置には段違い歯部５３が形成されている。即ちこの段違い歯部５３は、歯の一部を下方にずらせて形成したもので、この段違い歯部５３に上記カムギヤ駆動用ギヤ５０のサブギヤ５１が噛合されている。
【００３３】
またカムギヤ４５はロック機構によって所定の回転位置でロックされる構造となされている。このカムギヤのロック機構について説明すると、先ずカムギヤ４５の上面側には楕円状のガイド溝５４が形成されており、このガイド溝５４には互いに１８０°対向して内側に第１及び第２の凹部５５ａ及び５５ｂが設けられている。またこれに対応してカムギヤ４５の近傍部に立設された支軸５６にはロックレバー５７が回動自在に軸支されており、このロックレバー５７の先端部にはカムギヤ４５のガイド溝５４に係合される係合ピン５７ａが設けられている。またこのロックレバー５７は、ばね部材５８によって常に係合ピン５７ａがガイド溝５４の凹部５５ａまたは５５ｂに係合される方向に回動偏倚されている。
【００３４】
さらに支軸５６にはロック解除レバー５９が軸支されており、このロック解除レバー５９がソレノイド６０によって回動されることにより、これと連動してロックレバー５７が回動し、カムギヤ４５のロックが解除されるようになっている。即ちロック解除レバー５９は、メカシャーシに固定されたソレノイド６０に嵌挿されるプランジャ６１に連結されており、ソレノイド６０に通電されるとプランジャ６１がソレノイド６０から抜け出る方向に動き、これに伴ってロック解除レバー５９がばね部材６２の力を補助としてソレノイド６０から離れる方向に回動され、このときロック解除レバー５９がロックレバー５７の一部縁面５７ｂに当接係合されることによってロックレバー５７はロック解除レバー５９と一体に回動し、係合ピン５７ａがカムギヤ４５のガイド溝５４の第１の凹部５５ａから外れてカムギヤ４５のロックが解除される如く動作する。
【００３５】
次に第２の移動ギヤ６４の支持構造について説明する。
第２の移動ギヤ６４は図１５により明らかな如く支持板６５の一端部に枢軸６６によって枢支されているもので、この支持板６５の他端部及び中央部には凹部６７及び穴部６８を有し、夫々がメカシャーシ４に設けられた突起６９，７０と係合している。穴部６８は支持板６５が自由に動くに充分な大きさを有し、即ち第２の移動ギヤ６４は穴部６８の大きさの範囲内で突起６９を支点として伝達ギ３６，３７とメインギヤ３３の間を自由に動くことができるようになっている。
【００３６】
そしてこの第２の移動ギヤ６４はアーム板７１によってメインギヤ３３に対し接離する方向に移動される如くなされており、即ちこのアーム板７１はメカシャーシ４に枢軸７２を支点として回動可能に枢着され、その一端部には横方向に長い長穴７３を有し、この長穴７３に第２の移動ギヤ６４の枢軸６６が挿通係合されており、これによってアーム板７１の回動に伴って第２の移動ギヤ６４が移動される構造となされている。またアーム板７１はばね部材７４の力によって常に第２の移動ギヤ６４がメインギヤ３３に噛合する方向に偏倚されている。
【００３７】
またアーム板７１の一部には被押圧片部７１ａが形成されており、前述したようにカムギヤ４５のロックが解除されたときにはこの被押圧片部７１ａがロックレバー５７の一部に設けられた押圧ピン５７ｃによって押圧されることによりアーム板７１はばね部材７４の力に抗して回動され、第２の移動ギヤ６４がメインギヤ３３から外れる如く動作する。
【００３８】
そしてこの第２の移動ギヤ６４がメインギヤ３３から外れた状態では、この状態がカムギヤ４５によって保持されるように構成されている。即ち、カムギヤ４５の下面側には図７に示すようにカムギヤ４５の回転中心部を中心とする内周カム面４９が略全周にわたって形成されており、その一部には抜き凹部４９ａが設けられている。そして初期状態ではこの抜き凹部４９ａにアーム板７１の端部に立設されたピン７１ｂが位置し、カムギヤ４５が回転された状態では上記内周カム面４９にピン７１ｂが当接係止されることによってアーム板７１は第２の移動ギヤ６４がメインギヤ３３から外れた状態で保持される如くなされている。
【００３９】
またメカシャーシ４の中央部には左右の伝達ギヤ３６と３７の中間に位置して山形の穴部７５が形成され、この穴部７５にも第２の移動ギヤ６４の枢軸６６が挿通されており、上記のように第２の移動ギヤ６４がメインギヤ３３から外れた状態ではこの山形の穴部７５の頂部に枢軸６６が位置される状態となり、これによって第２の移動ギヤ６４は左右の伝達ギヤ３６と３７の何れにも噛合されないようにその移動範囲が規制される構造となっている。
【００４０】
次にピンチローラー１５及び磁気ヘッド１６，１７の移動動作を行なう機構について説明する。
メカシャーシ４には表側のピンチローラー１５及び磁気ヘッド１６，１７の取付部と対応する位置に第２のスライド板７７が上記第１のスライド板４０と平行に横方向にスライド可能に配されている。この第２のスライド板７７と第１のスライド板４０との間に位置してメカシャーシ４には連動板７８が枢軸８６を支点として回動可能に枢着されており、この連動板７８を介して第２のスライド板７７は第１のスライド板４０と連動してスライド動作される如くなされている。
【００４１】
即ち、連動板７８はその両端部に係合凹部７８ａ，７８ｂを有し、一方の係合凹部７８ａが第１のスライド板４０に突設された突片７９と係合され、他方の係合凹部７８ｂが第２のスライド板７７に突設されたピン８０と係合されており、前述したようにカムギヤ４５の回転によって第１のスライド板４０がスライドされると、これと同時に連動板７８が回動されて第２のスライド板７７に駆動力を伝え、第２のスライド板７７が第１のスライド板４０と逆方向にスライドされる。
【００４２】
この第２のスライド板７７にはピンチローラーレバー２０を押圧する押圧レバー８１が取り付けられていると共に、磁気ヘッド支持レバー２２，２３を押圧する押圧ピン８２，８３が植設されており、これら押圧レバー８１と押圧ピン８２，８３とは穴部８４を介してメカシャーシ４の表面側に表出されている。
【００４３】
押圧レバー８１はその前側縁部に両側を傾斜面とした凹部８１ａを有し、カセット蓋２を閉じた状態ではこの凹部８１ａにピンチローラーレバー２０の突起２０ａが対応されるようになっている。また押圧レバー８１はピンチローラーレバー２０の突起２０ａから逃げる方向に後退移動可能に第２のスライド板７７に取り付けられているも、ばね部材８５によって常に復帰方向の力を付与されている。また押圧ピン８２，８３はカセット蓋２を閉じた状態で夫々磁気ヘッド支持レバー２２，２３の後方に対応されるようになっている。
【００４４】
続いて以上の如く構成される本例のカセットプレーヤーの動作について説明する。
【００４５】
ａ．ストップ（停止）時の状態
はじめに、本例のカセットプレーヤーのストップ時の状態を説明すると、先ずカムギヤ４５はロックレバー５７の係合ピン５７ａがガイド溝５４の第１の凹部５５ａに係合されてロックされており、この状態ではカムギヤ４５の段違い歯部５３がカムギヤ駆動用ギヤ５０のサブギヤ５１と噛合されている。
【００４６】
この状態では第１のスライド板４０はばね部材４３によって中立位置に保持されており、従って第１の移動ギヤ３８は巻取側ハブ軸側の伝達ギヤ３６と供給側ハブ軸側の伝達ギヤ３７の何れにも噛合しない状態に位置している。
【００４７】
またこの状態では第２の移動ギヤ６４はばね部材７４の力によってメインギヤ３３に押し付けられるように噛合されている。尚、このときアーム板７１の端部のピン７１ｂはカムギヤ４５の内周カム面４９の抜き凹部４９ａに位置している。
【００４８】
さらにこの状態では第２のスライド板７７も中立位置にあり、このためピンチローラー１５及び磁気ヘッド１６，１７は何れもテープカセットのテープに対し引込んだ状態にある。
【００４９】
ｂ．ＦＦ（早送り）動作
上記のストップ状態から図示しない操作部のＦＦボタンを操作すると、モーター３０が時計方向に回転駆動し、これに伴ってメインギヤ３３が反時計方向に回転される。するとこのメインギヤ３３の回転力によってその回転方向に従って第２の移動ギヤ６４が左方に移動し、その下面側に一体に形成された小径ギヤ６４ａが巻取側ハブ軸側の伝達ギヤ３６に噛合される。従ってモーター３０の駆動によるメインギヤ３３の回転力がメインギヤ３３→第２の移動ギヤ６４→伝達ギヤ３６→巻取側ハブ軸駆動ギヤ３４と伝達され、これによって巻取側ハブ軸１１がテープ巻取り方向に高速回転されてテープの早送り動作が行なわれる（図３の状態）。
【００５０】
尚、このＦＦ動作時には、メインギヤ３３の回転に伴ってカムギヤ駆動用ギヤ５０は回転されるが、カムギヤ４５はロックレバー５７によってロックされているため、回転されることがない。即ちこの状態ではカムギヤ４５は段違い歯部５３においてカムギヤ駆動用ギヤ５０のサブギヤ５１と噛合され、前述したようにこのサブギヤ５１とカムギヤ駆動用ギヤ５０とは別個に回転可能であるため、ロック状態にあるカムギヤ４５の段違い歯部５３と噛合しているサブギヤ５１は回転せず、カムギヤ駆動用ギヤ５０だけが空回り状に回転される状態となる。
【００５１】
従って、第１の移動ギヤ３８は伝達ギヤ３６と３７の何れにも噛合しない中立位置に保持され、またピンチローラー１５及び磁気ヘッド１６，１７は引込状態に保持されている。
【００５２】
ｃ．ＲＥＷ（巻戻し）動作
また操作部のＲＥＷボタンを操作すると、以上とは逆にモーター３０が反時計方向に回転駆動し、これに伴ってメインギヤ３３が時計方向に回転される。するとこのメインギヤ３３の回転力によってその回転方向に従って第２の移動ギヤ６４が右方に移動し、その小径ギヤ６４ａが供給側ハブ軸側の伝達ギヤ３７に噛合される。従ってモーター３０の駆動によるメインギヤ３３の回転力がメインギヤ３３→第２の移動ギヤ６４→伝達ギヤ３７→供給側ハブ軸駆動ギヤ３５と伝達され、これによって供給側ハブ軸１２がテープ巻取り方向に高速回転されてテープの巻取り動作が行われる。
【００５３】
またこのＲＥＷ動作時においても上記ＦＦ動作時と同様にカムギヤ４５は回転されることがなく、従って第１の移動ギヤ３８は伝達ギヤ３６と３７の何れにも噛合しない中立位置に保持され、またピンチローラー１５及び磁気ヘッド１６，１７は引込状態に保持されている。
【００５４】
尚、以上のＦＦ動作及びＲＥＷ動作から操作部のストップボタンを操作すると、モーター３０が直ちに止まり、その状態で動作が停止される。
【００５５】
ｄ．ＦＷＤ（通常走行）動作
操作部のＦＷＤボタンを操作すると、モーター３０が時計方向に回転駆動されると共に、ソレノイド６０に通電され、これによって図４に示す如くプランジャ６１がソレノイド６０から抜け出る方向に動き、これに伴ってロック解除レバー５９がばね部材６２の力を補助としてソレノイド６０から離れる方向に回動され、このときロック解除レバー５９がロックレバー５７の一部縁面５７ｂに当接係合されることによってロックレバー５７はばね部材５８の力に抗してロック解除レバー５９と一体に回動し、係合ピン５７ａがカムギヤ４５の第１の凹部５５ａから外れてカムギヤ４５のロックが解除される。
【００５６】
またこれと同時にロックレバー５７の押圧ピン５７ａがアーム板７１の被押圧片部７１ａに当たってこれを押圧し、これによってアーム板７１はばね部材７４の力に抗して回動されて第２の移動ギヤ６４がメインギヤ３３から外れた状態となる。
【００５７】
そして上記のようにしてカムギヤ４５のロックが解除されると、カムギヤ４５はカムギヤ駆動用ギヤ５０から伝わる回動力によって回転される。即ち、カムギヤ４５のロックが解除されると、カムギヤ駆動用ギヤ５０からサブギヤ５１にその間に配されるフリクション部材を介して伝わる回動力によってカムギヤ４５が送り出されるように回転し、こうしてカムギヤ４５が少し送り出されるとカムギヤ駆動用ギヤの小径ギヤ５０ａにカムギヤ４５の通常の歯部（段違い歯部５３以外の歯部）が噛合し、これによってカムギヤ４５が回転される。
【００５８】
このＦＷＤモードでは前述の如くモーター３０が時計方向に回転されることにより、カムギヤ４５は反時計方向に回転し、これによって第１のスライド板４０のピン４０ｂがカムギヤ４５の内側カム面４７で連続的に押圧されることにより、第１のスライド板４０はばね部材４３の力に抗して左方にスライドされる。
【００５９】
このようにして第１のスライド板４０が左方にスライドされると揺動板３９が左方に傾倒して第１の移動ギヤ３８が巻取側ハブ軸側の伝達ギヤ３６に噛合される。
【００６０】
そして以上の如くカムギヤ４５の回転によって第１の移動ギヤ３８が巻取側ハブ軸側の伝達ギヤ３６に噛合されると、ロックレバー５７の係合ピン５７ａがカムギヤ４５のガイド溝５４の第２の凹部５５ｂに係合し、これによってカムギヤ４５は再びロックされる（図５の状態）。このロック状態ではカムギヤ４５の欠歯部５２がカムギヤ駆動用ギヤ５０の小径ギヤ５０ａと対応し、このためカムギヤ駆動用ギヤ５０は空回り状に回転される状態となる。またこの状態においては、図８により明らかなようにカムギヤ４５は内側カム面４７の傾斜段差部４７ａに第１のスライド板４０のピン４０ｂが当たっている状態でロックされている。
【００６１】
さらにこの状態においては、第２の移動ギヤ６４はカムギヤ４５によってメインギヤ３３から外れた状態を保持されている。即ち、前述したカムギヤ４５のロック解除時にロックレバー５７の押圧ピン５７ｃで押圧され、ばね部材７４の力に抗して第２の移動ギヤ６４がメインギヤ３３から外れる方向に回動されたアーム板７１は、カムギヤ４５が回転された状態ではピン７１ｂがカムギヤ４５の内周カム面４９に当接されることによってロックレバー５７の押圧ピン５７ｃによる押圧解除後もその状態を保持され、従って第２の移動ギヤ６４はメインギヤ３３から外れた状態に保持されることになる。
【００６２】
そして以上のようにして第１の移動ギヤ３８が巻取側ハブ軸側の伝達ギヤ３６に噛合すると共に第２の移動ギヤ６４がメインギヤ３３から外された状態では、モーター３０の駆動によるメインギヤ３３の回転力がメインギヤ３３→第１の移動ギヤ３８→伝達ギヤ３６→巻取側ハブ軸駆動ギヤ３４と伝達され、これによって巻取側ハブ軸１１がテープ巻取り方向に回転されてテープの正方向の走行動作が行なわれる。
【００６３】
また、上記の如くカムギヤ４５の反時計方向の回転によって第１のスライド板４０が左方へスライドされると、これと連動して第２のスライド板７７が第１のスライド板４０と逆方向の右方にスライドされ、これによってピンチローラー１５及び磁気ヘッド１６，１７の移動動作が行なわれる。
【００６４】
即ち、第２のスライド板７７右方にスライドされると、押圧レバー８１の凹部８１ａの左側の傾斜面がピンチローラーレバー２０の突起２０ａを押圧することによってピンチローラーレバー２０は前方へ回動され、このためピンチローラー１５はキャプスタン１３に圧着される。
【００６５】
尚、このピンチローラー１５の圧着状態では押圧レバー８１はばね部材８５の力に抗して僅かに後退移動される状態となり、このためばね部材８５の力が押圧レバー８１を介してピンチローラーレバー２０に伝わり、ピンチローラー１５はキャプスタン１３に対し確実に圧着される。
【００６６】
また第２のスライド板７７が右方にスライドされることにより、図１１に示す如く一方の押圧ピン８２が一方の磁気ヘッド支持レバー２２の後側縁の傾斜カム縁２２ａに当接してこれを押圧し、このため磁気ヘッド支持レバー２２はばね部材２６の力に抗して前方へ回動され、即ちＦＷＤ用の磁気ヘッド１６が突出されてテープカセットのテープと接し、いわゆるＡ面側の再生が行なわれる。
【００６７】
このＦＷＤ動作状態（図５）から操作部のストップボタンが操作されると、再びソレノイド６０に通電されてプランジャ６１が動作し、ロックレバー５７の係合ピン５７ａが第２の凹部５５ｂから外れてカムギヤ４５のロックが解除される。
【００６８】
このようにカムギヤ４５のロックが解除されると、それまで欠歯部５２がカムギヤ駆動用ギヤ５０の小径ギヤ５０ａに対応していたカムギヤ４５は、僅かに送り出されるように回転して直ちにカムギヤ駆動用ギヤ５０の小径ギヤ５０ａと噛合され、再び反時計方向に回動される。
【００６９】
このカムギヤ４５の送り出し動作さらに詳しく説明すると、前述したようにカムギヤ４５は、図８に示す如く内側カム面４７の傾斜段差部４７ａに第１のスライド板４０のピン４０ｂが当接した状態でロックされていたため、ロックが解除されるとばね部材４３による第１のスライド板４０の復帰力によってピン４０ｂが傾斜段差部４７ａの傾斜面を押圧し、これによってカムギヤ４５は送り出し方向に若干回転されることになり、直ちにカムギヤ駆動用ギヤ５０の小径ギヤ５０ａと噛合して回転される。
【００７０】
そして再びロックレバー５７の係合ピン５７ａがカムギヤ４５の第１の凹部５５ａに係合してカムギヤ４５がロックされると、初期状態に戻り、即ち第１のスライド板４０はピン４０ｂが内側カム面４７から離れてばね部材４３の力によって中立位置に復帰し、また第２の移動ギヤ６４はアーム板７１のピン７１ｂがカムギヤ４５の内周カム面４９の抜き凹部４９ａに位置される状態となってばね部材４３の力で再びメインギヤ３３に噛合し、さらにピンチローラー１５及び磁気ヘッド１６，１７はテープカセットのテープに対し引込んだ状態に戻り、この初期状態に戻ったところでモーター３０が止まり、その状態で動作が停止される。
【００７１】
ｅ．ＲＥＶ（反転走行）動作
また操作部のＲＥＶボタンを操作すると、モーター３０が反時計方向に回転駆動されると共に、ソレノイド６０に通電されることによってカムギヤ４５のロックが解除される。このカムギヤ４５のロック解除動作及びこれに伴う第２の移動ギヤ６４の移動動作（メインギヤ３３から外れる動作）は前述したＦＷＤ動作の場合と同様である。
【００７２】
そしてカムギヤ４５のロックが解除されると、前述した如くしてカムギヤ駆動用ギヤ５０から回転力が伝わってカムギヤ４５が時計方向に回転し、これによって第１のスライド板４０のピン４０ｂがカムギヤ４５の外側カム面４８で連続的に押圧されることにより、第１のスライド板４０はばね部材４３の力に抗して右方にスライドされる。
【００７３】
このようにして第１のスライド板４０が右方にスライドされると、揺動板３９が右方に傾倒して第１の移動ギヤ３８が供給側ハブ軸側の伝達ギヤ３７に噛合される。
【００７４】
そして以上のようにカムギヤ４５の回転によって第１の移動ギヤ３８が供給側ハブ軸側の伝達ギヤ３７に噛合されると、ロックレバー５７の係合ピン５７ａがカムギヤ４５の第２の凹部５５ｂに係合し、これによってカムギヤ４５は再びロックされる（図６の状態）。このロック状態では、前述したＦＷＤ動作時と同様るカムギヤ４５の欠歯部５２がカムギヤ駆動用ギヤ５０の小径ギヤ５０ａと対応し、このためカムギヤ駆動用ギヤ５０は空回り状に回転される状態となる。またこの状態においては、図９により明らかなようにカムギヤ４５は外側カム面４８の傾斜段差部４８ａに第１のスライド板４０のピン４０ｂが当たっている状態でロックされている。
【００７５】
さらにこの状態では、前述したＦＷＤ動作時と同様に、第２の移動ギヤ６４はアーム板７１のピン７１ｂがカムギヤ４５の内周カム面４９に当接されることによってメインギヤ３３から外れた状態を保持されている。
【００７６】
そして以上の如くして第１の移動ギヤ３８が供給側ハブ軸側の伝達ギヤ３７に噛合すると共に第２の移動ギヤ６４がメインギヤ３３から外された状態では、モーター３０の駆動によるメインギヤ３３の回転力がメインギヤ３３→第１の移動ギヤ３８→伝達ギヤ３７→供給側ハブ軸駆動ギヤ３５と伝達され、これによって供給側ハブ軸１２がテープ巻取り方向に回転されてテープの反転方向の走行動作が行なわれる。
【００７７】
また、上記の如くカムギヤ４５の時計方向の回転によって第１のスライド板４０が右方へスライドされると、これと連動して第２のスライド板７７が第１のスライド板４０と逆方向の左方へスライドされ、これによってピンチローラー１５及び磁気ヘッド１６，１７の移動動作が行なわれる。
【００７８】
即ち、第２のスライド板７７が左方にスライドされると、押圧レバー８１の凹部８１ａの右側の傾斜面がピンチローラーレバー２０の突起２０ａを押圧することによってピンチローラーレバー２０は前方へ回動され、このためピンチローラー１５はキャプスタン１３に圧着される。
【００７９】
また第２のスライド板７７が左方にスライドされることにより、図１２に示す如く押圧ピン８３が磁気ヘッド支持レバー２３の後側縁の傾斜カム縁２３ａに当接してこれを押圧し、このため磁気ヘッド支持レバー２３はばね部材２６の力に抗して前方へ回動され、即ちＲＥＶ用の磁気ヘッド１７が突出されてテープカセットのテープと接し、いわゆるＢ面側の再生が行われる。
【００８０】
このＲＥＶ動作状態（図６）から操作部のストップボタンが操作されると、前述したＦＷＤ動作時と同様に、再びソレノイド６０に通電されてプランジャ６１が動作し、ロックレバー５７の係合ピン５７ａが第２の凹部５５ｂから外れてカムギヤ４５のロックが解除される。
【００８１】
このようにカムギヤ４５のロックが解除されると、それまで欠歯部５２がカムギヤ駆動用ギヤ５０の小径ギヤ５０ａに対応していたカムギヤ４５は、僅かに送り出されるように回転して直ちにカムギヤ駆動用ギヤ５０の小径ギヤ５０ａと噛合され、再び時計方向に回転される。
【００８２】
即ち、前述したようにカムギヤ４５は、図９に示す如く外側カム面４８の傾斜段差部４８ａに第１のスライド板４０のピン４０ｂが当接した状態でロックされていたため、ロックが解除されるとばね部材４３による第１のスライド板４０の復帰力によってピン４０ｂが傾斜段差部４８ａの傾斜面を押圧し、これによってカムギヤ４５は送り出し方向に若干回転されることになり、直ちにカムギヤ駆動用ギヤ５０の小径ギヤ５０ａと噛合して回転される。
【００８３】
そして再びロックレバー５７の係合ピン５７ａがカムギヤ４５の第１の凹部５５ａに係合してカムギヤ４５がロックされると、初期状態に戻り、即ち第１のスライド板４０はピン４０ｂが外側カム面４８から離れてばね部材４３の力によって中立位置に復帰し、また第２の移動ギヤ６４はアーム板７１のピン７１ｂがカムギヤ４５の内周カム面４９の抜き凹部４９ａに位置される状態となってばね部材７４の力で再びメインギヤ３３に噛合し、さらにピンチローラー１５及び磁気ヘッド１６，１７はテープカセットのテープに対し引込んだ状態に戻り、この初期状態に戻ったところでモーターが止まり、その状態で動作が停止される。
【００８４】
【発明の効果】
以上に説明した如く本発明は、テープの通常走行モードと反転走行モードとで夫々テープに接して再生を行なう２つの磁気ヘッドと、テープカセットの巻取側ハブ及び供給側ハブに夫々係合される巻取側ハブ軸及び供給側ハブ軸と、モーターによって正逆方向に回転されるメインギヤと、テープの通常走行モードと反転走行モードとで巻取側ハブ軸側と供給側ハブ軸側とに選択的に移動し、メインギヤの回転を巻取側ハブ軸または供給側ハブ軸に伝達する第１の移動ギヤと、モーターによって回転され、第１の移動ギヤを移動させるカムギヤと、テープの早送りモードと巻戻しモードとでメインギヤの回転によって巻取側ハブ軸側と供給側ハブ軸側とに選択的に移動し、メインギヤの回転を巻取側ハブ軸または供給側ハブ軸に伝達する第２の移動ギヤと、テープの通常走行モードと反転走行モードにおいて第２の移動ギヤをメインギヤから外すギヤ外し機構と、を備えたカセットプレーヤーにおいて、メインギヤから外された第２の移動ギヤの保持を、第１の移動ギヤを移動させるためのカムギヤによって行なうように構成したので、従来に比して構成が簡単となり、さらにこのカセットプラーヤーでは、テープの通常走行モードと反転走行モードに応じて２つの磁気ヘッドを移動させる動作もカムギヤによって行なう構成としたので、構成がさらに簡単になり、その結果部品点数が少なく抑えられてコストダウンに繋がると共に、カセットプレーヤーの一層の小型薄型化に有利となる効果がある。
【図面の簡単な説明】
【図１】カセットプレーヤーの外観を示す斜視図である。
【図２】メカシャーシの表面側（カセット装着部側）の平面図である。
【図３】メカシャーシの裏面側（駆動機構部側）の平面図である。
【図４】同、カムギヤのロックが解除された状態である。
【図５】同、ＦＷＤモードの状態である。
【図６】同、ＲＥＶモードの状態である。
【図７】カムギヤの説明図である。
【図８】同、ＦＷＤモードの状態である。
【図９】同、ＲＥＶモードの状態である。
【図１０】ピンチローラー及び磁気ヘッドの取付部の分解斜視図である。
【図１１】磁気ヘッドの動作説明図で、ＦＷＤモードの状態である。
【図１２】同、ＲＥＶモードの状態である。
【図１３】カムギヤの斜視図である。
【図１４】カムギヤ駆動用ギヤの下方から見た斜視図である。
【図１５】第２の移動ギヤの支持機構部の平面図である。
【符号の説明】
１１・・・・巻取側ハブ軸、１２・・・・供給側ハブ軸、１６・・・・磁気ヘッド(通常走行用)、１７・・・・磁気ヘッド(反転走行用)、３０・・・・モーター、３３・・・・メインギヤ、３４・・・・巻取側ハブ軸駆動ギヤ、３５・・・・供給側ハブ軸駆動ギヤ、３６・・・・伝達ギヤ、３７・・・・伝達ギヤ、３８・・・・第１の移動ギヤ、４０・・・・第１のスライド板、４０ｂ・・・・ピン、４５・・・・カムギヤ、４６・・・・カム部、４７・・・・内側カム面、４７ａ・・・・傾斜段差部、４８・・・・外側カム面、４８ａ・・・・傾斜段差部、４９・・・・内周カム面、５２・・・・欠歯部、６４・・・・第２の移動ギヤ、７１・・・・アーム板、７１ｂ・・・・ピン、７７・・・・第２のスライド板、７８・・・・連動板
【図１】
0003551438.tif 000002
【図２】
0003551438.tif 000003
【図３】
0003551438.tif 000004
【図４】
0003551438.tif 000005
【図５】
0003551438.tif 000006
【図６】
0003551438.tif 000007
【図７】
0003551438.tif 000008
【図８】
0003551438.tif 000009
【図９】
0003551438.tif 000010
【図１０】
0003551438.tif 000011
【図１１】
0003551438.tif 000012
【図１２】
0003551438.tif 000013
【図１３】
0003551438.tif 000014
【図１４】
0003551438.tif 000015
【図１５】
0003551438.tif 000016